(57)【要約】【課題】コーヒー等の飲料の抽出に伴う後処理の簡略化を図って、ドリップバッグ１の利用価値を向上させること。【解決手段】抽出原料を封入する袋体５は上端側に開放可能な注ぎ口７を有し、袋体５の外側面に袋体５をカップ３に懸架する懸架部材９が設けられ、懸架部材９の内側面に、飲料の抽出後に袋体５から漏出した水分を吸水する吸水シート部材２３が設けられたこと。【選択図】  図１
2008228817.tif 000002
【特許請求の範囲】
【請求項１】
飲料をドリップ式によりカップ内に抽出するドリップバッグにおいて、
上端側に開放可能な注ぎ口を有し、透水性の材料により構成され、抽出原料を封入する袋体と、
前記袋体の外側面に設けられ、前記袋体を前記カップに懸架する懸架部材と、
前記懸架部材の内側面に設けられ、前記飲料の抽出後に前記袋体から漏出した水分を吸水する吸水シート部材と、
を備えたことを特徴とするドリップバッグ。
【請求項２】
前記吸水シート部材は、少なくとも前記飲料の抽出後に前記袋体全体を保持できる程度の大きさであることを特徴とする請求項１に記載のドリップバッグ。
【請求項３】
前記吸水シート部材の輪郭縁に接着部が熱圧着によって形成され、前記接着部が前記吸水シート部材に吸水した水分の流出を阻止できるようになっていることを特徴とする請求項１又は請求項２に記載のドリップバッグ。
【請求項４】
前記懸架部材に前記カップの周縁に係止可能な係止爪が切込みによって形成され、前記吸水シート部材の輪郭縁及び前記切込みに対応する部位に接着部が熱圧着によって形成され、前記接着部が前記吸水シート部材に吸水した水分の流出を阻止できるようになっていることを特徴とする請求項１又は請求項２に記載のドリップバッグ。
【請求項５】
前記吸水シート部材は、不織布シートと、該不織布シートを両側から挟むように設けられたチタンを含有の一対のポリエチレンシートとからなることを特徴とする請求項１から請求項４のうちのいずれかの請求項に記載のドリップバッグ。
【請求項６】
前記抽出原料は、コーヒー粉又は茶葉であることを特徴とする請求項１から請求項５のうちのいずれかの請求項に記載のドリップバッグ。
【発明の詳細な説明】
【技術分野】
【０００１】
本発明は、コーヒー等の飲料をドリップ式によりカップ内に抽出するドリップバッグに関する。
【背景技術】
【０００２】
近年、ドリップ式のコーヒーメーカーを簡易にしたものとしてドリップバッグが広く市場に出回っており、ドリップバッグは、コーヒーをドリップ式によりカップ内に抽出するものであって、一般的なドリップバッグな構成等は、次のようになる。
【０００３】
即ち、ドリップバッグは、抽出原料としてのコーヒー粉を封入する袋体を備えており、この袋体は、透水性の材料により構成されている。また、袋体は、上端側に、開放可能な注ぎ口を有している。そして、袋体の外側面には、袋体をカップに懸架する懸架部材が設けられている。
【０００４】
従って、注ぎ口を開放した状態で、懸架部材によって袋体をカップに懸架して、ドリップバッグをカップにセットする。そして、注ぎ口から袋体内へお湯を注ぐことにより、コーヒーをカップ内に抽出することができる。
【０００５】
なお、本発明に関連する先行技術として特許文献１から特許文献３に示すものがある。
【特許文献１】特開２００４−２３０１４３号公報
【特許文献２】特開２００４−２０８９０６号公報
【特許文献３】実開平６−６２９３９号公報
【発明の開示】
【発明が解決しようとする課題】
【０００６】
ところで、コーヒーの抽出後に、ドリップバッグをカップの近傍の皿等に一時的に置いたり又はドリップバッグをゴミ箱等に捨てたりする場合に、袋体に残った水分が袋体から漏出して、皿、床等に付着することになる。そのため、コーヒーの抽出に伴う後処理が煩雑化して、ドリップバッグの利用価値を十分に高めることができないという問題がある。
【０００７】
そこで、本発明は、前述の問題を解決することができる、新規な構成のドリップバッグを提供することを目的とする。
【課題を解決するための手段】
【０００８】
本発明の第１の特徴（請求項１に記載の発明の特徴）は、飲料をドリップ式によりカップ内に抽出するドリップバッグにおいて、
上端側に開放可能な注ぎ口を有し、透水性の材料により構成され、抽出原料を封入する袋体と、前記袋体の外側面に設けられ、前記袋体を前記カップに懸架する懸架部材と、前記懸架部材の内側面に設けられ、前記飲料の抽出後に前記袋体から漏出した水分を吸水する吸水シート部材と、を備えたことを要旨とする。
【０００９】
第１の特徴によると、前記注ぎ口を開放した状態で、前記懸架部材によって前記袋体を前記カップに懸架して、前記ドリップバッグを前記カップにセットする。そして、前記注ぎ口から前記袋体内へお湯を注ぐことにより、前記飲料を前記カップ内に抽出することができる。
【００１０】
前記飲料の抽出後に、前記ドリップバッグを前記カップから取外す。そして、前記飲料の抽出後に前記袋体を前記吸水シート部材に保持させることにより、前記吸水シート部材によって前記袋体から漏出した水分を吸水する。これにより、前記ドリップバッグを前記カップの近傍の皿等に一時的に置いたり又は前記ドリップバッグをゴミ箱等に捨てたりする場合に、前記袋体に残った水分が前記袋体から漏出して、皿、床等に付着することを十分に抑えることができる。
【００１１】
本発明の第２の特徴（請求項２に記載の発明の特徴）は、第１の特徴に加えて、前記吸水シート部材は、少なくとも前記飲料の抽出後に前記袋体全体を保持できる程度の大きさであることを要旨とする。
【００１２】
第２の特徴によると、前記吸水シート部材が少なくとも前記飲料の抽出後に前記袋体全体を保持できる程度の大きさであるため、前記吸水シート部材によって前記袋体から漏出した水分を全て確実に吸水することができる。
【００１３】
本発明の第３の特徴（請求項３に記載の発明の特徴）は、第１の特徴又は第２の特徴に加えて、前記吸水シート部材の輪郭縁に接着部が熱圧着によって形成され、前記接着部が前記吸水シート部材に吸水した水分の流出を阻止できるようになっていることを要旨とする。
【００１４】
第３の特徴によると、前記接着部が前記吸水シート部材に吸水した水分の流出を阻止できるようになっているため、前記ドリップバッグを前記カップの近傍の皿等に一時的に置いたり又は前記ドリップバッグをゴミ箱等に捨てたりする場合に、前記袋体に残った水分が前記袋体から漏出して、皿、床等に付着することを確実に防止できる。
【００１５】
本発明の第４の特徴（請求項４に記載の発明の特徴）は、第１の特徴又は第２の特徴に加えて、前記懸架部材に前記カップの周縁に係止可能な係止爪が切込みによって形成され、前記吸水シート部材の輪郭縁及び前記切込みに対応する部位に接着部が熱圧着によって形成され、前記接着部が前記吸水シート部材に吸水した水分の流出を阻止できるようになっていることを要旨とする。
【００１６】
第４の特徴によると、前記接着部が前記吸水シート部材に吸水した水分の流出を阻止できるようになっているため、前記ドリップバッグを前記カップの近傍の皿等に一時的に置いたり又は前記ドリップバッグをゴミ箱等に捨てたりする場合に、前記袋体に残った水分が前記袋体から漏出して、皿、床等に付着することを確実に防止できる。
【００１７】
第５の特徴（請求項５に記載の発明の特徴）は、第１の特徴から第４の特徴のうちのいずれかの特徴に加えて、前記吸水シート部材は、不織布シートと、該不織布シートを両側から挟むように設けられたチタンを含有の一対のポリエチレンシートとからなることを要旨とする。
【００１８】
第５の特徴によると、前記吸水シート部材が前記不織布シートの他にチタンを含有の一対の前記ポリエチレンシートからなるため、前記吸水シート部材の吸水性を十分に確保しつつ、吸水した水分による汚れを目立たなくすることができる。
【００１９】
第６の特徴（請求項６に記載の発明の特徴）は、第１の特徴から第５の特徴のうちのいずれかの特徴に加えて、前記抽出原料は、コーヒー粉又は茶葉であることを要旨とする。
【発明の効果】
【００２０】
請求項１から請求項６のうちのいずれかの請求項に記載の発明によれば、前記ドリップバッグを前記カップの近傍の皿等に一時的に置いたり又は前記ドリップバッグをゴミ箱等に捨てたりする場合に、前記袋体に残った水分が前記袋体から漏出して、皿、床等に付着することを十分に抑えることができるため、前記飲料の抽出に伴う後処理の簡略化を図って、前記ドリップバッグの利用価値を十分に向上させることができる。
【発明を実施するための最良の形態】
【００２１】
本発明の実施形態について図１から図５を参照して説明する。
【００２２】
ここで、図１及び図２は、本発明の実施形態に係るドリップバッグの斜視図、図３は、本発明の実施形態に係るドリップバッグの展開図、図４は、本発明に実施形態に係るドリップバッグをカップにセットした状態を示す斜視図、図５は、コーヒーの抽出後における本発明の実施形態に係るドリップバッグの斜視図である。
【００２３】
図１から図３に示すように、本発明の実施形態に係るドリップバッグ１は、コーヒー（飲料の一例）をドリップ式によりカップ３内に抽出するものであって、抽出原料としてのコーヒー粉Ｍを封入する袋体５を備えており、この袋体５は、透水性の不織布又は不織紙等により構成されている。また、袋体５は、上端側に、開放可能な注ぎ口７を有している。
【００２４】
袋体５の外側面には、袋体５をカップ３に懸架する懸架部材９が設けられており、この懸架部材９は、紙又はプラスチックシートにより構成されている。また、懸架部材９は、袋体５の外側面に貼付けられかつ対向した一対の貼付け部１１と、一対の貼付け部１１を連結するように設けられた複数の連結部１３とを有している。更に、各貼付け部１１の中央には、カップ３の周縁に係止可能な係止爪１５が切込み１７によってそれぞれ形成されている。
【００２５】
懸架部材９の上端には、接続片１９がミシン目２１によって切離し可能に設けられており、この接続片１９は、紙又はプラスチックシートにより構成されている。ここで、接続片１９をミシン目２１から切り離すと、一対の貼付け部１１が離反するように懸架部材９を開くことができるようになっており、また、懸架部材９を開くと、袋体５の注ぎ口７が開放されるようになっている。
【００２６】
懸架部材９の内側面には、コーヒーの抽出後に袋体５から漏出した水分を吸水する吸水シート部材２３が設けられており、この吸水シート部材２３は、不織布シートと、不織布シートを両側から挟むように設けられたチタンを含有の一対のポリエチレンシートとからなるものである。また、吸水シート部材２３は、懸架部材９の内側面と同じ大きさになっているが、少なくともコーヒーの抽出後に袋体５全体を挟むように保持できる程度の大きさであれば構わない。更に、吸水シート部材２３の輪郭縁及び切込み１７に対応する部位には、接着部２５が熱圧着によって形成されており、接着部２５は、吸水シート部材２３に吸水した水分の流出を阻止できるようになっている。なお、接着部２５の熱接着には、ポリプロピレン樹脂が用いられている。
【００２７】
次に、本発明の実施形態の作用及び効果について説明する。
【００２８】
接続片１９をミシン目２１から切離して、一対の貼付け部１１を離反するように懸架部材９を開くことにより、袋体５の注ぎ口７を開放する。次に、図４に示すように、注ぎ口７を開放した状態で、係止爪１５を周縁に係止することにより、懸架部材９によって袋体５をカップ３に懸架して、ドリップバッグ１をカップ３にセットする。そして、注ぎ口７から袋体５内へお湯を注ぐことにより、コーヒーをカップ３内に抽出することができる。
【００２９】
コーヒーの抽出後に、係止爪１５による係止状態を解除して、ドリップバッグ１をカップ３から取外す。そして、図５に示すように、一対の貼付け部１１を接近するように懸架部材９を閉じて、袋体５を吸水シート部材２３に挟むように保持させることにより、吸水シート部材２３によって袋体５から漏出した水分を吸水する。特に、吸水シート部材２３が少なくともコーヒーの抽出後に袋体５全体を保持できる程度の大きさであるため、吸水シート部材２３によって袋体５から漏出した水分を全て確実に吸水することができる。これにより、接着部２５が吸水シート部材２３に吸水した水分の流出を阻止することもあって、ドリップバッグ１をカップの近傍の皿等に一時的に置いたり又はドリップバッグ１をゴミ箱等に捨てたりする場合に、袋体５に残った水分が袋体５から漏出して、皿、床等に付着することを確実に防止できる。
【００３０】
また、吸水シート部材２３が不織布シートの他にチタンを含有の一対のポリエチレンシートからなるため、吸水シート部材２３の吸水性を十分に確保しつつ、吸水した水分による汚れを目立たなくすることができる。
【００３１】
以上の如き、本発明の実施形態によれば、ドリップバッグ１をカップの近傍の皿等に一時的に置いたり又はドリップバッグ１をゴミ箱等に捨てたりする場合に、袋体５に残った水分が袋体５から漏出して、皿、床等に付着することを確実に防止できるため、コーヒーの抽出に伴う後処理の簡略化を図って、ドリップバッグ１の利用価値を向上させることができる。
【００３２】
また、吸水シート部材２３の吸水性を十分に確保しつつ、吸水した水分による汚れを目立たなくすることができるため、ドリップバッグ１の利用価値をより向上させることができる。
【００３３】
なお、本発明は、前述の実施形態の説明に限られるものではなく、例えば袋体５に封入する飲料原料として、コーヒー粉の他に、紅茶葉、日本茶等の茶葉を用いる等、その他、種々の態様で実施可能である。また、本発明に包含される権利範囲は、これらの実施形態に限定されないものである。
【図面の簡単な説明】
【００３４】
【図１】本発明の実施形態に係るドリップバッグの斜視図であって、懸架部材が開いた状態を示している。
【図２】本発明の実施形態に係るドリップバッグの斜視図であって、懸架部材が閉じた状態を示している。
【図３】本発明の実施形態に係るドリップバッグの展開図である。
【図４】本発明に実施形態に係るドリップバッグをカップにセットした状態を示す斜視図である。
【図５】コーヒーの抽出後における本発明の実施形態に係るドリップバッグの斜視図である。
【符号の説明】
【００３５】
Ｍ            コーヒー粉
１            ドリップバッグ
３            カップ
５            袋体
７            注ぎ口
９            懸架部材
１１            貼付け部
１３            連結部
１５            係止爪
１７            切込み
１９            接続片
２１            ミシン目
２３            吸水シート部材
【図１】
2008228817.tif 000003
【図２】
2008228817.tif 000004
【図３】
2008228817.tif 000005
【図４】
2008228817.tif 000006
【図５】
2008228817.tif 000007